(57)【要約】【課題】負電力を低減する電力変換回路を提供する。【解決手段】誘導負荷に対して電力を供給するための電力変換回路は、インダクタンスと、切替回路とエネルギー貯留回路とを含む。インダクタンスは、切替回路が導電状態であると充電し、切替回路が非導電状態であるとエネルギー貯留回路及び誘導負荷に対してエネルギーを放電する。エネルギー貯留回路は、切替回路が導電状態であると誘導負荷に対してエネルギーを放電する。【選択図】図２
2015107050.tif 000002
【特許請求の範囲】
【請求項１】
誘導負荷に対して電力を供給するための電力変換回路であって、
ＡＣ電源に接続するように適合された第１及び第２の入力端子と、ＤＣ電圧を出力するための第１及び第２のＤＣ端子とを備える、ＡＣ電圧をＤＣ電圧に変換するための変換器と、
前記第１のＤＣ端子に接続された第１の接続端子と第２の接続端子とを備える第１のインダクタンスと、
第１及び第２の被制御端子と、前記第１及び第２の被制御端子の間の接続を制御するための制御端子とを備える切替回路と、
制御信号を前記制御端子に供給して前記第１の被制御端子と前記第２の被制御端子との間の接続を制御する制御回路と、
前記第２の接続端子と前記第２のＤＣ端子に接続され、かつ前記誘導負荷に対して電力を供給するための第１及び第２の出力端子を備えるエネルギー貯留回路と、
を備え、
前記第１のインダクタンスは、前記第１及び第２の被制御端子が互いに接続されるとエネルギーを蓄積し、前記第１及び第２の被制御端子が互いから接続解除されると前記エネルギー貯留回路と前記誘導負荷に対してエネルギーを放電するように適合され、前記エネルギー貯留回路は、前記第１及び第２の被制御端子が互いに接続されると前記誘導負荷に対してエネルギーを放電するように適合されることを特徴とする電力変換回路。
【請求項２】
前記制御回路は、ＰＷＭ信号発生器を備えることを特徴とする、請求項１に記載の電力変換回路。
【請求項３】
前記第１及び第２のＤＣ端子間に接続されたフィルタ回路をさらに備えることを特徴とする、請求項１〜請求項２のいずれかに記載の電力変換回路。
【請求項４】
前記フィルタ回路は、前記第１及び第２のＤＣ端子間に接続された第１のキャパシタを備えることを特徴とする、請求項３に記載の電力変換回路。
【請求項５】
前記エネルギー貯留回路は、前記第１及び第２の出力端子間に接続された第２のキャパシタを備えることを特徴とする、請求項１〜請求項４のいずれかに記載の電力変換回路。
【請求項６】
前記エネルギー貯留回路は、ダイオードをさらに備え、前記第１及び第２の出力端子のうち１つは、前記ダイオードを介して前記第２の接続端子及び前記第２のＤＣ端子のうち１つに接続され、前記第１及び第２の出力端子のうち別の１つは、前記第２の接続端子及び前記第２のＤＣ端子のうち別の１つに直接接続されることを特徴とする、請求項５に記載の電力変換回路。
【請求項７】
前記エネルギー貯留回路は、前記第２の接続端子と前記第１の出力端子との間に接続された第３のキャパシタと、前記第２のＤＣ端子と前記第１の出力端子に隣接する前記第３のキャパシタの一端との間に接続された第２のインダクタンスをさらに備えることを特徴とする請求項５に記載の電力変換回路。
【請求項８】
前記エネルギー貯留回路は、ダイオードをさらに備え、前記第１及び第２の出力端子のうち１つは、前記ダイオードを介して前記第２のＤＣ端子及び前記第１の出力端子に隣接する前記第３のキャパシタの一端のうち１つに接続され、前記第１及び第２の出力端子のうち別の１つは、前記第２のＤＣ端子及び前記第１の出力端子に隣接する前記第３のキャパシタの一端のうち別の１つに接続されることを特徴とする、請求項７に記載の電力変換回路。
【請求項９】
誘導負荷に対して電力を供給するための電力変換回路であって、インダクタンスと、切替回路とエネルギー貯留回路とを備え、
前記インダクタンスは、前記切替回路が導電状態であると充電し、前記切替回路が非導電状態であると前記エネルギー貯留回路及び前記誘導負荷に対してエネルギーを放電し、前記エネルギー貯留回路は、前記切替回路が導電状態であると前記誘導負荷に対してエネルギーを放電することを特徴とする電力変換回路。
【請求項１０】
前記切替回路は、前記エネルギー貯留回路に対して並列接続されることを特徴とする、請求項９に記載の電力変換回路。
【請求項１１】
前記誘導負荷は、電気モータを含むことを特徴とする請求項９〜請求項１０に記載の電力変換回路。
【請求項１２】
前記電気モータは、ＢＬＤＣモータであり、前記電力変換回路は、前記エネルギー貯留回路と前記ＢＬＤＣモータとの間に接続されたインバータをさらに備えることを特徴とする、請求項１１に記載の電力変換回路。
【請求項１３】
前記インバータは、Ｈ−ブリッジ駆動回路であることを特徴とする、請求項１２に記載の電力変換回路。
【請求項１４】
前記インダクタンスは、ＤＣ電圧と前記切替回路との間に接続されることを特徴とする請求項９〜請求項１３のいずれかに記載の電力変換回路。
【請求項１５】
前記エネルギー貯留回路は、前記切替回路と前記誘導負荷との間に接続されることを特徴とする請求項９〜請求項１４のいずれかに記載の電力変換回路。
【発明の詳細な説明】
【技術分野】
【０００１】
本発明は、誘導負荷用の電力変換回路、具体的には、ＢＬＤＣモータに特に好適な電力変換回路に関する。
【背景技術】
【０００２】
ブラシレス直流（ＢＬＤＣ）モータは、磁石回転子と、少なくとも１つの巻線が上に巻かれた固定子とを有する。電力は、電力変換回路を介して、ＡＣ電源によりモータに供給することができる。図１は、従来の電力変換回路に基づいた、ＡＣ電源の電圧、電流及び電力の信号を示す。モータをＡＣ電源に接続した瞬間に、電流は、ＢＬＤＣモータの固定子の巻線を通り、エネルギーは、巻線により発生した界磁に蓄えられる。巻線は誘導素子であるので、電流信号の位相は、電圧信号の位相と比較して遅延する。モータを電源に接続した瞬間は、モータの回転子は静止し、かつ巻線により発生する逆起電力（ＥＭＦ）はない。電圧が増大するにつれて、饋電した巻線は、回転子の界磁と相互作用する発生した界磁の強度を増大させて回転子を駆動し、従って巻線は逆ＥＭＦ  ＶＢを発生する。従来の電力変換回路によると、巻線は、ＡＣ電圧が逆ＥＭＦ  ＶＢよりも大きい全期間中、充電され、巻線により蓄積したエネルギーは比較的高い。ＡＣ電圧が逆ＥＭＦ  ＶＢよりも小さい値に低下すると、ＡＣ電源により共有される電力は停止し、巻線はエネルギーを放電し始め、これは図１に示すようにＡＣ電圧がゼロを下回る瞬間まで継続し、これにより負電力が発生する。負電力は、電力の一部を電力系統に逆流させ、電気エネルギーを消費し、ＡＣ電源の有効電力の低下を招いてしまう。
【発明の概要】
【発明が解決しようとする課題】
【０００３】
従って、負電力を低減する電力変換回路に対する需要がある。
【課題を解決するための手段】
【０００４】
従って、本発明は、一つの態様において、誘導負荷に対して電力を供給するための電力変換回路であって、ＡＣ電源に接続するように適合された第１及び第２の入力端子とＤＣ電圧を出力するための第１及び第２のＤＣ端子とを備える、ＡＣ電圧をＤＣ電圧に変換するための変換器と、第１のＤＣ端子に接続された第１の接続端子と第２の接続端子を備える第１のインダクタンスと、第１及び第２の被制御端子と該第１及び第２の被制御端子の間の接続を制御するための制御端子を備える切替回路と、制御信号を制御端子に供給して第１の被制御端子と第２の被制御端子との間の接続を制御する制御回路と、第２の接続端子と第２のＤＣ端子に接続されかつ誘導負荷に対して電力を供給するための第１及び第２の出力端子を備えるエネルギー貯留回路と、を備え、第１のインダクタンスは、第１及び第２の被制御端子が互いに接続されるとエネルギーを蓄積し、第１及び第２の被制御端子が互いから接続解除されるとエネルギー貯留回路と誘導負荷に対してエネルギーを放電するように適合され、エネルギー貯留回路は、第１及び第２の被制御端子が互いに接続されると誘導負荷に対してエネルギーを放電するように適合される、ことを特徴とする電力変換回路を提供する。
【０００５】
制御回路は、ＰＷＭ信号発生器を備えることが好ましい。
フィルタ回路が第１及び第２のＤＣ端子間に接続されることが好ましい。
フィルタ回路は、第１及び第２のＤＣ端子間に接続された第１のキャパシタを備えることが好ましい。
エネルギー貯留回路は、第１及び第２の出力端子間に接続された第２のキャパシタを備えることが好ましい。
【０００６】
エネルギー貯留回路は、ダイオードをさらに備え、第１及び第２の出力端子のうち１つは、ダイオードを介して第２の接続端子及び第２のＤＣ端子のうち１つに接続され、第１及び第２の出力端子のうち別の１つは、第２の接続端子及び第２のＤＣ端子のうち別の１つに直接接続されることが好ましい。
【０００７】
エネルギー貯留回路は、第２の接続端子と第１の出力端子との間に接続された第３のキャパシタと、第２のＤＣ端子と第１の出力端子に隣接する第３のキャパシタの一端との間に接続された第２のインダクタンスをさらに備えることが好ましい。
【０００８】
エネルギー貯留回路は、ダイオードをさらに備え、第１及び第２の出力端子のうち１つは、ダイオードを介して第２のＤＣ端子及び第１の出力端子に隣接する第３のキャパシタの一端のうち１つに接続され、第１及び第２の出力端子のうち別の１つは、第２のＤＣ端子及び第１の出力端子に隣接する第３のキャパシタの一端のうち別の１つに接続されることが好ましい。
【０００９】
第２の態様によると、本発明は、誘導負荷に対して電力を供給するための電力変換回路であって、インダクタンスと、切替回路とエネルギー貯留回路とを備える電力変換回路を提供する。インダクタンスは、切替回路が導電状態であると充電し、切替回路が非導電状態であるとエネルギー貯留回路及び誘導負荷に対してエネルギーを放電し、エネルギー貯留回路は、切替回路が導電状態であると誘導負荷に対してエネルギーを放電する。
【００１０】
切替回路は、エネルギー貯留回路に対して並列接続されることが好ましい。
誘導負荷は、電気モータを含むことが好ましい。
誘導負荷は、ＢＬＤＣモータを含み、電力変換回路は、エネルギー貯留回路とＢＬＤＣモータとの間に接続されたインバータをさらに備えることが好ましい。
インバータは、Ｈ−ブリッジ駆動回路であることが好ましい。
インダクタンスは、ＤＣ電圧と切替回路との間に接続されることが好ましい。
エネルギー貯留回路は、切替回路と誘導負荷との間に接続されることが好ましい。
【００１１】
ここで、添付図面の図を参照して、単なる例として、本発明の好ましい実施形態を以下に説明する。図において、１つより多くの図に現れる同一の構造、要素及び部品には、一般に、現れる全ての図において同一の参照番号が付される。図に示される構成要素及び特徴部の寸法は、一般的に、便宜上及び表示を明確にするために選択されたものであり、必ずしも縮尺通りではない。以下に図が列挙される。
【図面の簡単な説明】
【００１２】
【図１】従来の電力変換回路に基づく、ＡＣ電源の電圧、電流及び電力の信号を示す。
【図２】本発明の実施形態による電力変換回路を示す。
【図３】本発明の別の実施形態による電力変換回路を示す。
【図４】図３の電力変換回路に基づくＡＣ電源の電圧及び電流信号を示す。
【図５】本発明の別の実施形態による電力変換回路を示す。
【図６】図５の電力変換回路に基づくＡＣ電源の電圧及び電流信号を示す。
【発明を実施するための形態】
【００１３】
図２は、本発明の実施形態による電力変換回路１０を示す。電力変換回路１０は、誘導負荷６２に対して電力を供給するよう適合される。本実施形態において、誘導負荷６２は、Ｈ−ブリッジ駆動回路であることが好ましいインバータにより駆動されるＢＬＤＣモータであることが好ましい。電力変換回路１０は、ＡＣＤＣ変換器２０、第１のインダクタンスＬ１、切替回路３０、制御回路４０及びエネルギー貯留回路５０を備える。
【００１４】
ＡＣＤＣ変換器２０は、ＡＣ電源６１からのＡＣ電圧をＤＣ電圧に変換するように適合され、第１の入力端子２１、第２の入力端子２２、第１のＤＣ端子２３及び第２のＤＣ端子２４を備える。第１の入力端子２１及び第２の入力端子２２は、ＡＣ電源６１に接続するよう適合される。第１のＤＣ端子２３及び第２のＤＣ端子２４は、ＤＣ電圧を出力するよう適合される。
【００１５】
切替回路３０は、インダクタンスＬ１を充電するために、インダクタンスＬ１と第２のＤＣ端子２４との間に被制御短絡を印加するように配置される。切替回路３０は、第１の被制御端子３１、第２の被制御端子３２及び第１の被制御端子３１と第２の被制御端子３２との間の接続又は接続解除を制御する制御端子３３を備える。制御回路４０は、第１の被制御端子３１及び第２の被制御端子３２を選択的に接続及び接続解除するために、制御端子３３に制御信号を与える。第１のインダクタンスＬ１は、第１の接続端子２５及び第２の接続端子２６を有し、それぞれＡＣＤＣ変換器２０及び切替回路３０に接続される。本実施形態において、第１の接続端子２５はＡＣＤＣ変換器２０の第１のＤＣ端子２３に接続され、第２の接続端子２６は、切替回路３０の第１の被制御端子３１に直接接続され、切替回路３０の第２の被制御端子３２は、ＡＣＤＣ変換器２０の第２のＤＣ端子２４に直接接続される。
【００１６】
エネルギー貯留回路５０は、第２の接続端子２６及び第２のＤＣ端子２４に接続され、誘導負荷６２に接続される第１の出力端子５１及び第２の出力端子５２を備える。インダクタンスＬ１は、第１の被制御端子３１及び第２の被制御端子３２が接続されるとエネルギーを蓄積し、第１の被制御端子３１及び第２の被制御端子３２が接続解除されると誘導負荷６２及びエネルギー貯留回路５０に対してエネルギーを放電する。エネルギー貯留回路５０は、第１の被制御端子３１及び第２の被制御端子３２が接続されると第１の被制御端子３１及び第２の被制御端子３２が接続されると誘導負荷６２に対してエネルギーを放電して誘導負荷６２の動作を維持するように適合される。
【００１７】
図３は、本発明の別の実施形態を示す。本実施形態において、ＡＣＤＣ変換器２０は、半ブリッジダイオード整流器であることが好ましい。切替回路３０は、バイポーラ接合トランジスタ（ＢＪＴ）又は金属酸化膜半導体電界効果トランジスタ（ＭＯＳＦＥＴ）を含むことが好ましい。ＢＪＴの集電器及びエミッタ、つまりＭＯＳＦＥＴのドレイン及びソースは、第１の被制御端子３１及び第２の被制御端子３２であり、ＢＪＴのベースつまりＭＯＳＦＥＴのゲートは、制御端子３３である。第１の被制御端子３１は、第１のインダクタンスＬ１を介して第１のＤＣ端子２３に接続される。第２の被制御端子３２は、第２のＤＣ端子２４に接続される。制御回路４０は、ＰＷＭ信号発生器又は単一チップマイクロコンピュータ等の任意の型式の信号発生器を含むことが望ましい。
【００１８】
エネルギー貯留回路５０は、第２のキャパシタＣ２とダイオードＤとを備える。第２のキャパシタＣ２は、第１の出力端子５１と第２の出力端子５２との間に接続される。ダイオードＤの陽極は、第２の接続端子２６に接続され、ダイオードＤの陰極は、第１の出力端子５１に接続される。第２の出力端子５２は、第２のＤＣ端子２４に接続される。代替的に、図３で点線で示すように、ダイオードＤは、第２のＤＣ端子２４と第２の出力端子５１との間に接続され、ダイオードＤの陽極は第２の出力端子５２に接続され、ダイオードＤの陰極は第２のＤＣ端子２４に接続され、及び第１の出力端子５１は、第２の接続端子２６に接続される。言い換えると、第１の出力端子５１及び第２の出力端子５２のうち１つが、ダイオードＤを介して第２の接続端子２６及び第２のＤＣ端子２４のうち１つに接続され、第１の出力端子５１及び第２の出力端子５２のうち別の１つが、第２の接続端子２６及び第２のＤＣ端子２４のうち別の１つに直接接続される。
【００１９】
Ｈ−ブリッジ駆動回路６３は、制御装置により制御してモータを正常に動作させることができる４つのスイッチＳを備える。制御装置は、制御回路４０に組み込むことが望ましい。
【００２０】
図４を参照すると、動作中、変換回路２０は、第１のＤＣ端子２３及び第２のＤＣ端子２４により出力されたＡＣ電圧をＤＣ電圧に変換する。ＤＣ電圧は、第１のインダクタンスＬ１を介してＨ−ブリッジ駆動回路６３及びエネルギー貯留回路５０に供給されて、ＢＬＤＣモータ６２を駆動する。ＡＣ電圧が逆ＥＭＦ  ＶＢより大きい値（図の点Ａ）まで次第に増大した後、電流がＡＣ電源６１により与えられる。点Ａの前には、ＡＣ電源６１から流れる電流はない。
【００２１】
ＡＣ電源６１は、ＡＣ電源６１の電圧が逆ＥＭＦ  ＶＢより大きいので、点Ａと点Ｂとの間で電力を供給する。切替回路３０は、制御回路４０の制御下で、導電状態又は非導電状態である。切替回路３０が導電状態であると、ＡＣ電源６１は、ＡＣＤＣ変換器２０、第１のインダクタンスＬ１及び切替回路３０と回路を形成して第１のインダクタンスＬ１に充電する。この間、第１のインダクタンスＬ１は、ＡＣＤＣ変換器２０によるＤＣ電圧出力と同じ極性を有する。切替回路３０が非導電状態であると、第１のインダクタンスＬ１の電圧は、ＤＣ電圧に重ねられる。ＡＣ電源６１、ＡＣＤＣ変換器２０、第１のインダクタンスＬ１、ダイオードＤ及びエネルギー貯留回路５０の第２のキャパシタにより第１の回路が形成されて、第２のキャパシタＣ２に充電する。一方、ＡＣ電源、ＡＣＤＣ変換器２０、第１のインダクタンスＬ１、ダイオードＤ、Ｈ−ブリッジ駆動回路６３及びモータ６２により第２の回路が形成されて、モータを駆動する。切替回路３０が再度導電状態になると、第１のインダクタンスＬ１は再度充電され、第２のキャパシタＣ２はＨ−ブリッジ駆動回路６３を介してモータ６２に対してエネルギーを放電して、モータの動作を維持する。切替回路３０が非導電状態になると、第２のキャパシタＣ２は再び充電される。
【００２２】
ＡＣ電圧が、逆ＥＭＦ  ＶＢと等しい値（図の点Ｂ）に低下すると、さらにはゼロに低下すると、モータの巻線に蓄積されたエネルギーがある場合、つまり誘導負荷６２に電圧が存在する場合、モータに蓄積したエネルギーは、切替回路３０が非導電状態であると、Ｈ−ブリッジ駆動回路６３を介してＡＣ電源６１に逆流する。放電期間は、制御回路４０の制御信号のデューティサイクルに対応する切替回路３０の切替周波数及び導電時間に対応する。
【００２３】
切替回路３０は、交互に導電状態及び非導電状態であるので、エネルギー貯留回路５０及び誘導負荷６２に充電する期間は、非常に短く制御され、従って誘導負荷６２に蓄積されたエネルギーは低減され、放電を素早く完了することができる。従って、負電力が低減され、ＢＬＤＣモータの有効出力が改善され、電力系統の消費を減少させ、電気的効率が向上する。
【００２４】
さらに、第１のインダクタンスＬ１の電圧は、第１のインダクタンスＬ１の放電中、ＡＣＤＣ変換器２０により出力されたＤＣ電圧に重ねられるので、モータに印加される電圧は、ＡＣ電源６１の電圧よりも高く、より高い電圧を要求するモータを駆動するのに用いることができる。
フィルタ回路は、第１のＤＣ端子２３及び第２のＤＣ端子２４から出力されるＤＣ電圧をフィルタするために、第１のＤＣ端子２３と第２のＤＣ端子２４との間に接続されることが好ましい。本実施形態において、フィルタ回路は、第１のキャパシタＣ１を含む。代替的に、フィルタ回路は、ＬＣ回路を含み、ＬＣ回路におけるインダクタンスはＡＣＤＣ変換器２０と第１のキャパシタＣ１との間に接続されるか、１つのみのインダクタンスを含むことができることを理解されたい。
【００２５】
点Ａと点Ｂとの間の期間、モータの回転速度は、制御回路４０の制御信号のデューティサイクルに対応する切替回路３０の導電時間を調節することにより制御することができる。デューティサイクルが高いほど、つまり切替回路の導電時間が長いほど、モータの巻線に蓄積され、点Ｂの後で放電されるエネルギーは少なく、従って負電力は低減される。
【００２６】
図５は、本発明の別の実施形態による電力変換回路１０ｂを示す。電力変換回路１０ｂは、電力変換回路１０と類似する。両者の違いは、電力変換回路１０ｂのエネルギー貯留回路５０ｂは、ダイオードＤ及び第２のキャパシタＣ２以外に、第３のキャパシタＣ３及び第２のインダクタンスＬ２をさらに備えることである。第３のキャパシタＣ３は、第２の接続端子２６とダイオードＤの陽極との間に接続される。第２のインダクタンスＬ２は、第２のＤＣ端子２４とダイオードＤの陽極との間に接続される。
【００２７】
図６を参照すると、動作中、電圧は、ＢＬＤＣモータ６２に印加され、モータが回転して、巻線により逆ＥＭＦ  ＶＢが発生する。逆ＥＭＦ  ＶＢより大きい値（図の点Ａ）まで次第に増大すると、電流がＡＣ電源６１により与えられる。点Ａと点Ｂの間の期間、ＡＣ電源６１の電圧は、逆ＥＭＦ  ＶＢより大きく、切替回路３０が非導電状態であると、ＡＣ電源６１、ＡＣＤＣ変換器２０、第１のインダクタンスＬ１、第３のキャパシタＣ３及び第２のインダクタンスＬ２により第１の回路が形成され、ＡＣ電源６１、ＡＣＤＣ変換器２０、第１のインダクタンスＬ１、第３のキャパシタＣ３、ダイオードＤ及び第２のキャパシタＣ２により第２の回路が形成され、ＡＣ電源６１、ＡＣＤＣ変換器２０、第１のインダクタンスＬ１、第３のキャパシタＣ３、ダイオードＤ、Ｈ−ブリッジ駆動回路６３及びＢＬＤＣモータ６２により第３の回路が形成される。この期間、第２のキャパシタＣ２及び第３のキャパシタＣ３は充電される。第３のキャパシタＣ３が完全に充電されると、３つの回路は接続解除される。切替回路３０が導電状態であると、ＡＣ電源６１、ＡＣＤＣ変換器、第１のインダクタンスＬ１及び切替回路３０により回路が形成されて第１のインダクタンスＬ１を充電し、一方第３のキャパシタＣ３は、切替回路３０を介して第２のインダクタンスＬ２に放電し、エネルギーが第２のインダクタンスＬ２に蓄積される。その間、第２のキャパシタＣ２はＢＬＤＣモータに電力を供給する。切替回路３０が非導電状態であると、第１のインダクタンスＬ１、第２のインダクタンスＬ２及び第３のキャパシタＣ３の極性は、図５に示すようである。
【００２８】
切替回路３０は、交互に導電状態及び非導電状態であるので、エネルギー貯留回路５０及びモータ６２の巻線に充電する期間は、非常に短く制御され、従って誘導負荷に蓄積されたエネルギーは低減され、放電を素早く完了することができる。従って、負電力が低減され、ＢＬＤＣモータの有効出力が改善され、電力系統の消費を減少させ、電気的効率が向上する。
【００２９】
さらに、本実施形態において、制御回路４０により発生された制御信号のデューティサイクルが比較的高い場合、つまり、切替回路３０の導電時間が、切替回路３０の非導電時間より長い場合、第３のキャパシタＣ３の電圧は、切替回路３０の導電中に素早く低下し、第１のインダクタンスＬ１及び第２のインダクタンスＬ２の電圧は、充電時間がより長いので、比較的高い。従って、切替回路３０の非導電中は、モータ６２に印加される電圧は、前の実施形態と比較して、第３のキャパシタＣ３の電圧が比較的小さいので、より高い。逆に、制御回路４０により発生された制御信号のデューティサイクルが比較的小さい場合、つまり、切替回路３０の導電時間が、切替回路３０の非導電時間より短い場合、第３のキャパシタＣ３の電圧の上昇は、第１のインダクタンスＬ１及び第２のインダクタンスＬ２の電圧上昇よりも速い。言い換えると、第３のキャパシタＣ３の電圧は、第１のインダクタンスＬ１の電圧及び第２のインダクタンスＬ２の電圧の合計よりも大きい場合がある。従って、切替回路３０の導電中は、導電時間が比較的短いので、第３のキャパシタＣ３の電圧の低下は比較的小さく、モータ６２に印加される電圧を、第１のキャパシタＣ１の電圧よりもさらに小さくさせる。従って、本実施形態における電力変換回路１０ｂは、制御信号のデューティサイクルを制御することにより様々な電圧を発生させて、異なる型式のモータを駆動することができる。
【００３０】
本出願の説明及び特許請求の範囲において、動詞「備える（ｃｏｍｐｒｉｓｅ）」、「含む（ｉｎｃｌｕｄｅ）」、「含有する（ｃｏｎｔａｉｎ）」及び「有する（ｈａｖｅ）」の各々及びその変形は、包括的意味で用いられており、記載された項目の存在を特定するが、付加的な項目の存在を排除するものではない。
【００３１】
明確にするために、別個の実施形態の文脈において説明される本発明の特定の特徴は、単一の実施形態において組み合わせても提供できることに留意されたい。逆に、簡潔にするために、単一の実施形態の文脈において説明される本発明の様々な特徴を、別個に又は任意の好適な副組み合わせで提供することもできる。
【００３２】
本発明は、１つ又はそれ以上の好ましい実施形態を参照して説明されたが、当業者により、様々な修正が可能であることを留意されたい。従って、本発明の範囲は、以下の特許請求の範囲を参照して定められる。
【符号の説明】
【００３３】
１０、１０ｂ：電力変換回路
２０：ＡＣＤＣ変換器
２１：第１の入力端子
２２：第２の入力端子
２３：第１のＤＣ端子
２４：第２のＤＣ端子
２５：第１の接続端子
２６：第２の接続端子
３０：切替回路
３１：第１の被制御端子
３２：第２の被制御端子
３３：制御端子
４０：制御回路
５０、５０ｂ：エネルギー貯留回路
５１：第１の出力端子
５２：第２の出力端子
６１：ＡＣ電源
６２：誘導負荷、モータ
６３：Ｈ−ブリッジ駆動回路
Ｃ２：第２のキャパシタ
Ｃ３：第３のキャパシタ
Ｄ：ダイオード
Ｌ１：第１のインダクタンス
Ｌ２：第２のインダクタンス
【図１】
2015107050.tif 000003
【図２】
2015107050.tif 000004
【図３】
2015107050.tif 000005
【図４】
2015107050.tif 000006
【図５】
2015107050.tif 000007
【図６】
2015107050.tif 000008
【外国語明細書】
2015107050000001.pdf